(57)【要約】【課題】空気洗浄機能を有する投影装置に関する【解決手段】  従来の投影装置に光触媒材料を加えた空気洗浄機能付き投影装置であり、光触媒材料は冷却ユニットからの冷却空気の流動経路において、光源ユニットの付近に設置される。光源ユニットからの紫外線が光触媒材料に照射し触媒作用を起させることにより、周囲の酸素と酸素分子から極めて高い活性を持つ負イオンへの励起を加速する。そして、冷却空気の流動で、生成された負イオンを投影装置から外に排出する。負イオンは、有機物質や気体などの分解を加速することにより、空気洗浄の効果を達成する。【選択図】  図2
2006085147.tif 000002
【特許請求の範囲】
【請求項１】
空気洗浄機能を有する投影装置であって、
反射用ライトマスクと、投射用ライトバルブとを含む光源ユニットと、
前記投影装置外部の空気を前記投影装置内部に導き、冷却空気として使用し、前記投影装置内部に生じた熱を吸収した後に、温度が上昇した当該冷却空気を前記投影装置外部に排出する冷却ユニットと、
前記冷却空気の流動経路において、前記光源ユニットの付近に設置される光触媒材料とを有し、
前記投射用ライトバルブは、光束を発し、
前記光束は、前記反射用ライトマスクにより収集されて前記反射用ライトマスクの開口部から可視光として射出され、前記反射用ライトマスクを透過する紫外線として射出され、
前記投射用ライトバルブからの紫外線は、前記光触媒材料に照射する
投影装置。
【請求項２】
前記光触媒材料は、二酸化チタン、酸化チタン、酸化亜鉛、酸化第二錫及び硫化カドミウムのいずれかである
請求項１に記載の投影装置。
【請求項３】
前記冷却ユニットはファンであり、前記光触媒材料は当該ファン上に設置される
請求項１に記載の投影装置。
【請求項４】
電源部、信号処理部、光学処理部及び制御部をさらに有する
請求項１に記載の投影装置。
【請求項５】
空気洗浄機能を有する投影装置であって、
前記投影装置外部の空気を前記投影装置内部に導き、冷却空気として使用する冷却ユニットと、
前記投影装置内において前記冷却空気の流動経路に設置される負イオン発生器と
を有する
投影装置。
【請求項６】
前記負イオン発生器は、電気式負イオン発生器である
請求項５に記載の投影装置。
【請求項７】
自動または手動で前記電気式負イオン発生器の負イオン発生量を制御する制御部をさらに有する
請求項６に記載の投影装置。
【請求項８】
前記負イオン発生器は、電気石である
請求項５に記載の投影装置。
【請求項９】
光源ユニット、電源部、信号処理部、光学処理部及び制御部をさらに有する
請求項５に記載の投影装置。
【発明の詳細な説明】
【技術分野】
【０００１】
本発明は、投影装置に関し、特に、空気洗浄機能付き投影装置に関する。
【背景技術】
【０００２】
投影装置を使用するときに、一般的に暗い室内でスクリーンに鮮明な映像を投影する。その場合、室外の光が室内に入射することを避けるために、通常、扉と窓に幕を掛けて光を遮蔽する。しかし、幕で光を遮蔽すると、空気流動のための扉と窓が幕によって遮蔽されるので、室内の空気が流動しなくなる。そのため、複数の人が一つの部屋にいる場合、或いは、喫煙者と一緒に部屋にいる場合には、不快な臭いが生じ、また流動しない空気に集まったダストや病原体などは、さらに人体に傷害を与える可能性がある。
【発明の開示】
【発明が解決しようとする課題】
【０００３】
本発明の目的は、空気が流動しない室内に使用されるときに、室内の空気を洗浄することができる空気洗浄機能付き投影装置を提供することにある。
【課題を解決するための手段】
【０００４】
本発明の空気洗浄機能付き投影装置は、従来の投影装置に光触媒材料を加えるものである。光触媒材料は、冷却ユニットにより生成された冷却空気の流動経路において、光源ユニットの付近に設置される。光源ユニットによって生成された紫外線を用いて光触媒材料に照射し、触媒作用を起させることにより、周囲の酸素と酸素分子から極めて高い活性を持つ自由イオン（即ち、負イオンである）への励起を加速する。そして、冷却空気の流動で、生成された前記自由イオンを投影装置から外に排出する。前記自由イオンは、有機物質や気体などの分解を加速することにより、空気洗浄の効果を達成することができる。
【発明の効果】
【０００５】
投影装置に光触媒材料を加えることにより、空気洗浄の効果を達成する。
【発明を実施するための最良の形態】
【０００６】
次に、添付した図面を参照しながら、本発明の好適な実施形態を詳細に説明する。
【０００７】
図1は、本発明の好適な実施形態に係る空気洗浄機能付き投影装置の構成図である。図1に示すように、本発明の空気洗浄機能付き投影装置は、電源部100、信号処理部200、光源ユニット300、光学処理部400、制御部500、冷却ユニット600及び光触媒材料700を含む。電源部100は、投影装置の各部分にパワーを出力する。信号処理部200は、入力された電子信号を処理して、得られた映像信号を出力する。光源ユニット300は、映像の輝度に応じて投射用光源を提供する。光学処理部400は、光源ユニット300からの光束により、信号処理部200によって処理された映像信号に対応する画像をスクリーンに投影する。冷却ユニットは、投影装置外部の常温空気を投影装置内部に導き、冷却空気として使用し、投影装置内部に生じた熱を吸収した後に、温度が上昇した空気を投影装置外部に排出する。例えば、冷却ユニット600はファンである。制御部500は、自動又は手動で上述した各部分の各種変化量を制御する。また、本発明の特徴とする光触媒700は、冷却ユニット600からの冷却空気の流動経路において、光源ユニット300の付近に設置される。
【０００８】
光源ユニット300により生成された紫外線を用いて光触媒材料700に照射し、触媒作用を起させることにより、周囲の酸素と酸素分子から極めて高い活性を持つ自由イオン（即ち、負イオンである）への励起を加速させる。そして、冷却空気の流動により、生成された前記自由イオンを投影装置から外に排出する。前記自由イオンは、有機物質や気体などの分解を加速することにより、空気洗浄の効果を達成することができる。
【０００９】
図2は、図1の光触媒材料700付近の拡大図である。図2に示すように、光源ユニット300は、投射用ライトバルブ310と反射用ライトマスク320を含む。投射用ライトバルブ310からの光束は、反射用ライトマスクにより収集され、反射用ライトマスク320の開口部から可視光を射出する。また、投射用ライトバルブ310は、反射用ライトマスク320を透過できる紫外線を発する。一般的に、300Wのライトバルブは15W以上の紫外線を生成することがである。紫外線の照射により、光触媒材料700に触媒作用を起させ、周囲の酸素と酸素分子から極めて高い活性を持つ自由イオン（即ち、負イオンである）への励起を加速する。そして、生成された前記自由イオンで有機気体の分子を分解し、空気中の臭い分子、ダスト或いは病原体の分解を加速することにより、空気洗浄の効果を達成することができる。
【００１０】
本発明の趣旨を離脱しない限り、様々な実施形態を行うことが可能である。例えば、通常の光触媒材料700は、例えば、二酸化チタン、酸化チタン、酸化亜鉛、酸化第二錫及び硫化カドミウムのいずれかである。二酸化チタンは、毒性がなく且つ優れた酸化還元力と優れた化学安定性を有するため、好適な光触媒材料である。図1と図2の好適な実施形態では、光触媒材料700を用いて負イオンの生成を加速する。他には、投影装置内部に負イオン発生器を設置することにより、負イオンの数を増加しても良い。例えば、図3と図4に示すように、電気式負イオン発生器710を使用しても良い。負イオン発生器700に電圧を印加ときに、負イオン発生器700の先端から負イオンが放出される。負イオン発生器700に印加される電圧は、電源部100から供給する。負イオンの放出量は、制御部500により自動又は手動で制御される。また、図5に示すように、負イオン発生器は電気石であっても良い。電気石は、自然の負イオン発生器であり、紫外線で照射し及び電圧を印加しなく、負イオンを永久に放出することができる。上述したような実施形態は、本発明の範囲に属する。
【００１１】
ゆえに、上述した好適な実施形態により、本発明は以下の利点がある。
【００１２】
１、投影装置を使用するときに、投影装置から空気に負イオンを放出することにより、室内の空気を洗浄する。
【００１３】
２、元々無視された、反射用ライトマスクを透過し射出する紫外線と光触媒材料との組み合わせにより、負イオンの数を増加し、当該負イオンで空気中の臭い分子、ダスト、或いは病原体の分解を加速することにより、空気の洗浄機能を達成する。
【００１４】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００１５】
【図１】本発明の好適な実施形態に係る空気洗浄機能付き投影装置の構成図である。
【図２】図1の光触媒材料付近の拡大図である。
【図３】本発明の他の好適な実施形態に係る空気洗浄機能付き投影装置の構成図である。
【図４】図3の負イオン発生器付近の拡大図である。
【図５】本発明の他の好適な実施形態に係る空気洗浄機能付き投影装置の構成図である。
【符号の説明】
【００１６】
100  電源部
200  信号処理部
300  光源ユニット
310  投射用ライトバルブ
320  反射用ライトマスク
400  光学処理部
500  制御部
600  冷却ユニット
700  光触媒材料
710  電気式負イオン発生器
720  電気石
【図１】
2006085147.tif 000003
【図２】
2006085147.tif 000004
【図３】
2006085147.tif 000005
【図４】
2006085147.tif 000006
【図５】
2006085147.tif 000007